(57)【要約】 【課題】締め付けた後に簡単に取り外すことができないいたずら防止ねじを提供する。【解決手段】頭部１１及び軸部１２を備えるねじ本体１０と、ねじ本体１０の頭部表面に応力集中部２０を介して連結される破断頭部３０と、ねじ本体１０の頭部１１及び破断頭部３０を外装する防護カバー４０とから成り、破断頭部３０からねじ本体１０へトルクを伝達して一定以上のトルクでねじ本体１０を締め付けると、応力集中部２０が破断してねじ本体１０と破断頭部３０との連結が解かれ破断頭部３０及び防護カバー４０がねじ本体１１に対して空転するように構成されたいたずら防止ねじにおいて、防護カバー４０は、樹脂製でねじ本体１０の頭部１１及び破断頭部３０に密着するように外装させた構成のいたずら防止ねじによる。この構成により、防護カバー４０の内部に接着剤を流し込めなくなり、このような手口でねじを緩めることができなくなる。【選択図】図２
2015197130.tif 000002
【特許請求の範囲】
【請求項１】
頭部及び軸部を備えるねじ本体と、このねじ本体の頭部表面に応力集中部を介して連結される破断頭部と、ねじ本体の頭部及び破断頭部を外装する防護カバーとから成り、破断頭部からねじ本体へトルクを伝達して一定以上のトルクでねじ本体を締め付けると、応力集中部が破断してねじ本体と破断頭部との連結が解かれ破断頭部及び防護カバーがねじ本体に対して空転するように構成されたいたずら防止ねじにおいて、
前記防護カバーは、樹脂製でねじ本体の頭部及び破断頭部に密着するように外装させてあることを特徴とするいたずら防止ねじ。
【請求項２】
前記防護カバーは、インサート成形によってねじ本体の頭部及び破断頭部に外装させてあることを特徴とする請求項１に記載のいたずら防止ねじ。
【請求項３】
前記ねじ本体の頭部及び破断頭部は、側面外周に段部が形成されていることを特徴とする請求項１又は請求項２に記載のいたずら防止ねじ。
【発明の詳細な説明】
【技術分野】
【０００１】
本発明は、締め付けた後に取り外すことができないようにするためのいたずら防止ねじに関する。
【背景技術】
【０００２】
従来から、盗難、いたずら等を防止することを目的として、締め付けた後に簡単に取り外すことができないねじが考案されている。このようなねじは、リセスを特殊形状にして専用工具でなければ緩めることができないようにしたものと、一定以上のトルクで締め付けるとねじの頭部が破断して実効的な回転力をねじ本体へ伝達できないようにしたものとに大別される。後者の代表例としては、特許文献１に示すボルト取り外し防止構造が知られている。このボルトは、頭部の外形が中細りになっており、一定以上のトルクで締め付けると、中細りに形成された箇所に応力が集中してここが破断するように構成されている。破断後の頭部は、ボルト本体との連結が解かれた部位（以下、破断頭部という）と、ボルト本体に連なって残存する頭部（以下、残存頭部という）とに分かれるが、残存頭部に回転工具を装着して緩めることができないようにするために、頭部（破断頭部及び残存頭部）には防護カバーが外装させてある。このような構成により、破断頭部あるいは防護カバーは、回転させたところで、残存頭部に対して空転するだけなので、実効的な回転力をボルト本体へ伝達することは不可能になっている。
【先行技術文献】
【特許文献】
【０００３】
【特許文献１】特開２０００−２５７６２３号公報
【発明の概要】
【発明が解決しようとする課題】
【０００４】
しかしながら、上記のボルト取り外し防止構造であっても、ボルト本体へ回転力を伝達できるよう回復せしめて取り外されてしまうことがあった。その手口とは、頭部と防護カバーとの隙間から接着剤を流し込むことにより、破断頭部と残存頭部とを接着固定し、あるいは残存頭部と防護カバーとを接着固定する方法である。
【０００５】
本発明は、上記課題に鑑みて創成されたものであり、締め付けた後に簡単に取り外すことができないいたずら防止ねじを提供することを目的とする。
【課題を解決するための手段】
【０００６】
上記課題を解決するべく本発明では、頭部及び軸部を備えるねじ本体と、このねじ本体の頭部表面に応力集中部を介して連結される破断頭部と、ねじ本体の頭部、応力集中部及び破断頭部を外装する防護カバーとから成り、破断頭部からねじ本体へトルクを伝達して一定以上のトルクでねじ本体を締め付けると、応力集中部が破断してねじ本体と破断頭部との連結が解かれ破断頭部及び防護カバーがねじ本体に対して空転するように構成されたいたずら防止ねじにおいて、前記防護カバーは、樹脂製でねじ本体の頭部及び破断頭部に密着するように外装させてあることを特徴とする。
【０００７】
また、前記防護カバーは、インサート成形によってねじ本体の頭部及び破断頭部に外装させてあることが好ましい。
【０００８】
また、前記ねじ本体の頭部及び破断頭部には、側面外周に段部が形成されていることが好ましい。
【発明の効果】
【０００９】
本発明によれば、防護カバーの内部に接着剤を流し込めるだけの隙間ができないので、このような手口でねじが取り外されてしまう問題が無くなる。
【００１０】
また、防護カバーは、インサート成形によってねじ本体の頭部及び破断頭部に外装させてあるので、防護カバーと、ねじ本体の頭部及び破断頭部との密着性をより高めることができる。
【００１１】
また、前記ねじ本体の頭部及び破断頭部は、側面外周に段部が形成されているので、前記防護カバーを軸方向に引っ張って取り外すことができないようになっている。
【図面の簡単な説明】
【００１２】
【図１】本発明のいたずら防止ねじの正面図である。
【図２】本発明のいたずら防止ねじの縦断面図である。
【図３】本発明のいたずら防止ねじの平面図である。
【図４】本発明のいたずら防止ねじにおける他の実施形態を示す縦断面図である。
【発明を実施するための形態】
【００１３】
以下、本発明の実施形態を図に基づいて説明する。図１及び図２において、１は、本発明のいたずら防止ねじであり、頭部１１と外周に雄ねじが成形された軸部１２とから成るねじ本体１０と、このねじ本体１０の頭部表面１１ａに応力集中部２０を介して連結される破断頭部３０と、これらねじ本体１０の頭部１１、応力集中部２０及び破断頭部３０を外装する防護カバー４０とから構成される。なお、図２においては、防護カバー４０のみ断面形状が図示してある。
【００１４】
前記応力集中部２０は、真ん中がくびれた形状をしており、ねじ本体１０の頭部表面１１ａ及び破断頭部３０の底面に一体成形されこれらを連結している。
【００１５】
なお、前記応力集中部２０の形状は真ん中がくびれたものに限定されるものではなく、所定のトルクで破断可能であれば種々の変形が可能であり、例えば軸状であってもよい。また、応力集中部２０は、破断頭部３０とねじ本体１０に一体成形されるものでなくてもよく、所定のトルクでこれら破断頭部３０とねじ本体１０の頭部１１との連結が解かれるものであれよい。例えば、破断頭部３０とねじ本体１０の頭部１１とを接着剤で連結し、あるいは一体成形でなくこれらを連結させるようなものでもよい。
【００１６】
前記破断頭部３０は、図３に示すように、その表面に十字穴３０ａを備えており、ここにドライバビット（図示せず）を係合させてトルクを加えると、ねじ本体１０へトルクが伝達され、ねじ本体１０を締め付けるように構成されている。このとき、一定以上のトルクでねじ本体１０を締め付けると、応力集中部２０のくびれ部２０ａが破断し、ねじ本体１０と破断頭部３０との連結が解かれるように構成されている。
【００１７】
前記防護カバー４０は、前記破断頭部３０の十字穴３０ａ及びねじ本体１０の頭部１１の座面１１ｂを除いて、前記ねじ本体１０の頭部１１、応力集中部２０及び破断頭部３０の全面を外装するように装着されている。また、この防護カバー４０は、樹脂製でありインサート成形により装着されるため、防護カバー４０の内部に接着剤を流し込めない程度に、ねじ本体１０の頭部１１、応力集中部２０及び破断頭部３０とは密着させてある。ただし、応力集中部２０が破断してねじ本体１０と破断頭部３０との連結が解かれた際には、破断頭部２０及び防護カバー４０がねじ本体１０に対して空転することは可能な程度に密着させてある。
【００１８】
また、前記ねじ本体１０の頭部１１の外径を応力集中部２０の外径より大きく形成することにより、これらの境界には段部５０が形成されている。同様に、破断頭部３０の外径を応力集中部２０の外径より小さく形成することにより、これらの境界には段部６０が形成されている。さらに、ねじ本体１０の頭部１１は、側面外周にも段部７０が形成されている。このように、段部５０，６０，７０を備えることにより、本発明のいたずら防止ねじ１は、防護カバー４０の軸方向への移動を規制し、防護カバー４０を軸方向から引っ張って取り外すことができないように構成されている。加えて、段部５０，７０を備えることにより、仮に、防護カバー４０の上端開口縁８０及び下端開口縁９０から接着剤を流し込まれても、これら段部５０，７０が関所として機能するため、応力集中部４０にまで接着剤が流れ込みにくくなり、防護カバー４０の内部全体に渡って接着剤が浸透することを防止する。このため、防護カバー４０とねじ本体１０の頭部１１、及び破断頭部３０とねじ本体１０の頭部１１が完全に固定されることもなく、ねじ本体を緩めることを不可能にしている。
【００１９】
なお、ねじ本体１０の頭部１１と同様に破断頭部３０の側面外周にも段部を設けてもよい。また、段部に代えて頭部１１及び破断頭部３０の側面外周に溝を設けて、ここに防護カバー４０を嵌め込むように外装させても、本発明の目的は達成できる。
【００２０】
以下、本発明のいたずら防止ねじおける第２の実施形態を図４に基づいて説明する。この形態では、破断頭部３０’の側面途中から防護カバー４０’を外装させてある。このように、破断頭部３０の側面を一部露出させることで、破断頭部３０の外形を六角等の多角形状にして六角レンチで締め付けることも可能となる。
【００２１】
本発明のいたずら防止ねじ１によれば、防護カバー４０をインサート成形により装着するので、防護カバー４０の内面と、ねじ本体１０の頭部１１、応力集中部２０及び破断頭部３０の側面との間に接着剤を流し込めるだけの隙間ができず、このような手口でねじが取り外されてしまう問題が無くなる。さらに、防護カバー４０の外側からねじ本体１０の頭部１１を掴むように工具（図示せず）を装着してねじ本体１０を緩めようとしても、防護カバー４０が樹脂製であることにより、簡単に傷が付くため、緩めようとしたことを外観から簡単に発見することができる。
【符号の説明】
【００２２】
１  いたずら防止ねじ
１０  ねじ本体
１１  頭部
１２  軸部
２０  応力集中部
２０ａ  くびれ部
３０  破断頭部
３０ａ  駆動穴
４０  防護カバー
５０，６０，７０  段部
８０  上端開口縁
９０  下端開口縁
【図１】
2015197130.tif 000003
【図２】
2015197130.tif 000004
【図３】
2015197130.tif 000005
【図４】
2015197130.tif 000006